(57)【要約】【課題】  接着剤を使用することなく、レンズをレンズホルダにより適正な位置で保持できるレンズユニットを提供する。【解決手段】  レンズユニット２においては、レンズホルダ４は、熱膨張性を有し且つ嵌まり合うようにして互いに固定される外筒部４１ａ及び内筒部４２ａと、軸線方向においてレンズ３，３を挟持すべく、外筒部４１ａ及び内筒部４２ａの少なくとも一方から径方向内方に突出し、熱膨張性を有する複数の挟持部４１ｂ，４１ｃ，４２ｂと、を備え、内筒部４２ａは、レンズ３を径方向で支持するように、レンズ３の一部を内部に配置し、外筒部４１ａの熱膨張率は、内筒部４２ａの熱膨張率よりも小さい。【選択図】  図２
2015169818.tif 000002
【特許請求の範囲】
【請求項１】
少なくとも一つのレンズと、前記レンズを保持するレンズホルダと、を備え、
前記レンズホルダは、熱膨張性を有し且つ嵌まり合うようにして互いに固定される外筒部及び少なくとも一つの内筒部と、軸線方向においてレンズを挟持すべく、前記外筒部及び前記内筒部の少なくとも一方から径方向内方に突出し、熱膨張性を有する複数の挟持部と、を備え、
前記内筒部は、前記レンズを径方向で支持するように、前記レンズの少なくとも一部を内部に配置し、
前記外筒部の熱膨張率は、前記内筒部の熱膨張率よりも小さいレンズユニット。
【請求項２】
前記内筒部は、一つ備えられ、
前記複数の挟持部は、前記内筒部から一つ突出すると共に、前記内筒部を間に配置するように、前記外筒部から二つ突出し、
前記レンズは、二つ備えられ、それぞれ前記外筒部から突出する挟持部と前記内筒部から突出する挟持部との間でそれぞれ挟持される請求項１に記載のレンズユニット。
【請求項３】
前記内筒部は、一つ備えられ、
前記複数の挟持部は、前記外筒部及び前記内筒部からそれぞれ一つ突出し、
前記レンズは、一つ備えられ、前記外筒部から突出する挟持部と前記内筒部から突出する挟持部との間で挟持される請求項１に記載のレンズユニット。
【請求項４】
前記内筒部は、複数備えられると共に、前記外筒部内で軸線方向に沿って並列され、
前記複数の挟持部は、前記各内筒部からそれぞれ一つ突出すると共に、並列される前記複数の内筒部を間に配置するように、前記外筒部から二つ突出し、
前記レンズは、三つ以上備えられ、前記外筒部から突出する挟持部と前記内筒部から突出する挟持部との間、又は隣接する前記内筒部から突出する挟持部間、でそれぞれ挟持される請求項１に記載のレンズユニット。
【請求項５】
レーザ光を出射するレーザ光源と、
前記レーザ光源から出射されるレーザ光が入射される請求項１〜４の何れか１項に記載のレンズユニットと、
前記レンズユニットから出射されるレーザ光が入射される導光体と、を備えるレーザ光源装置。
【発明の詳細な説明】
【技術分野】
【０００１】
本発明は、レンズを備えるレンズユニットに関し、また、該レンズユニットを備えるレーザ光源装置に関する。
【背景技術】
【０００２】
従来、レーザ光源装置として、レーザ光を出射するレーザ光源と、レーザ光源から出射されるレーザ光が入射されるレンズと、レンズから出射されるレーザ光が入射される導光体とを備えるレーザ光源装置が、知られている（例えば、特許文献１）。そして、レンズは、接着剤で接着されることにより、レンズホルダに保持されている。
【０００３】
ところで、装置が使用されることに伴って、接着層は、膨張したり、収縮したりする。これにより、レンズは、レンズホルダに対する位置、即ち、レーザ光源及び導光体に対する適正な位置から、ずれてしまう。その結果、導光体への入射効率（レーザ光源から出射されたレーザ光が導光体に入射される効率）は、低下する。
【先行技術文献】
【特許文献】
【０００４】
【特許文献１】特開平１１−２０４８６２号公報
【発明の概要】
【発明が解決しようとする課題】
【０００５】
よって、本発明は、斯かる事情に鑑み、接着剤を使用することなく、レンズをレンズホルダにより適正な位置で保持できるレンズユニットを提供することを課題とする。
【０００６】
また、本発明は、斯かる事情に鑑み、導光体への入射効率が低下することを抑制できるレーザ光源装置を提供することを課題とする。
【課題を解決するための手段】
【０００７】
本発明に係るレンズユニットは、少なくとも一つのレンズと、前記レンズを保持するレンズホルダと、を備え、前記レンズホルダは、熱膨張性を有し且つ嵌まり合うようにして互いに固定される外筒部及び少なくとも一つの内筒部と、軸線方向においてレンズを挟持すべく、前記外筒部及び前記内筒部の少なくとも一方から径方向内方に突出し、熱膨張性を有する複数の挟持部と、を備え、前記内筒部は、前記レンズを径方向で支持するように、前記レンズの少なくとも一部を内部に配置し、前記外筒部の熱膨張率は、前記内筒部の熱膨張率よりも小さい。
【０００８】
本発明に係るレンズユニットによれば、複数の挟持部は、互いに固定される外筒部及び内筒部の少なくとも一方から径方向内方に突出し、軸線方向においてレンズを挟持する。そして、熱膨張性を有する各挟持部は、レンズを透過する光により昇温するため、熱膨張する。これにより、複数の挟持部は、昇温した際に、軸線方向においてレンズを強固に挟持できる。
【０００９】
また、内筒部は、レンズを内部に配置することにより、レンズを径方向で支持する。そして、熱膨張性を有する外筒部及び内筒部は、レンズを透過する光により昇温するため、熱膨張する。このとき、外筒部の熱膨張率が内筒部の熱膨張率よりも小さいため、外筒部と嵌り合う内筒部が径方向外方に熱膨張することを抑制できる。これにより、内筒部は、昇温した際に、内部に配置しているレンズを径方向で確実に支持できる。
【００１０】
このように、レンズホルダは、レンズを、軸線方向で挟持し且つ径方向で支持し、しかも、昇温した際には、レンズを、軸線方向で強固に挟持し且つ径方向で確実に支持する。したがって、レンズホルダは、接着剤を使用することなく、レンズを適正な位置で保持できる。
【００１１】
また、本発明に係るレンズユニットにおいては、前記内筒部は、一つ備えられ、前記複数の挟持部は、前記内筒部から一つ突出すると共に、前記内筒部を間に配置するように、前記外筒部から二つ突出し、前記レンズは、二つ備えられ、それぞれ前記外筒部から突出する挟持部と前記内筒部から突出する挟持部との間でそれぞれ挟持される、という構成でもよい。
【００１２】
また、本発明に係るレンズユニットにおいては、前記内筒部は、一つ備えられ、前記複数の挟持部は、前記外筒部及び前記内筒部からそれぞれ一つ突出し、前記レンズは、一つ備えられ、前記外筒部から突出する挟持部と前記内筒部から突出する挟持部との間で挟持される、という構成でもよい。
【００１３】
また、本発明に係るレンズユニットにおいては、前記内筒部は、複数備えられると共に、前記外筒部内で軸線方向に沿って並列され、前記複数の挟持部は、前記各内筒部からそれぞれ一つ突出すると共に、並列される前記複数の内筒部を間に配置するように、前記外筒部から二つ突出し、前記レンズは、三つ以上備えられ、前記外筒部から突出する挟持部と前記内筒部から突出する挟持部との間、又は隣接する前記内筒部から突出する挟持部間、でそれぞれ挟持される、という構成でもよい。
【００１４】
また、本発明に係るレーザ光源装置は、レーザ光を出射するレーザ光源と、前記レーザ光源から出射されるレーザ光が入射される前記のレンズユニットと、前記レンズユニットから出射されるレーザ光が入射される導光体と、を備える。
【００１５】
本発明に係るレーザ光源装置によれば、レーザ光源から出射されたレーザ光は、レンズユニットに入射し、その後、レンズユニットから出射されたレーザ光は、導光体に入射される。そして、レンズは、接着剤を使用されること無く、レンズホルダにより、レーザ光源及び導光体に対して適正な位置で保持される。したがって、導光体への入射効率が低下することを抑制できる。
【発明の効果】
【００１６】
以上の如く、本発明に係るレンズユニットは、接着剤を使用することなく、レンズを適正な位置で保持できる、という優れた効果を奏する。
【００１７】
また、本発明に係るレーザ光源装置は、導光体への入射効率が低下することを抑制できる、という優れた効果を奏する。
【図面の簡単な説明】
【００１８】
【図１】本発明の一実施形態に係るレーザ光源装置の概略構成図を示す。
【図２】同実施形態に係るレンズユニットの全体断面図を示す。
【図３】同実施形態に係るレンズユニットの全体分解断面図を示す。
【図４】同実施形態に係るレンズの全体正面図を示す。
【図５】同実施形態に係る外筒体の全体断面図を示す。
【図６】本発明の他の実施形態に係るレンズユニットの全体断面図を示す。
【図７】同実施形態に係るレンズユニットの全体分解断面図を示す。
【図８】本発明のさらに他の実施形態に係るレンズユニットの全体断面図を示す。
【発明を実施するための形態】
【００１９】
以下、本発明に係るレーザ光源装置及びレンズユニットにおける第１の実施形態について、図１〜図５を参酌して説明する。なお、各図（図６〜図８も同様）において、図面の寸法比と実際の寸法比とは、必ずしも一致していない。
【００２０】
図１に示すように、本実施形態に係るレーザ光源装置１は、レーザ光を出射するレーザ光源（半導体レーザ）１１と、レーザ光源１１から出射されるレーザ光が入射されるレンズユニット２とを備えている。そして、レーザ光源装置１は、レンズユニット２から出射されるレーザ光が入射される導光体１２と、レーザ光源１１、レンズユニット２及び導光体１２を接続する接続体１３とを備えている。
【００２１】
本実施形態においては、導光体１２は、光ファイバである。そして、導光体１２は、フェルール１４の内部に挿入されており、フェルール１４と接続体１３とが固定されることにより、接続体１３に接続されている。なお、導光体１２は、光ファイバである、という構成だけでなく、例えば、ロッドインテグレータである、という構成でもよい。また、図１において、１点鎖線Ａ１は、レーザ光の光軸を示している。
【００２２】
レンズユニット２は、図１〜図５に示すように、二つのレンズ３，３と、レンズ３，３を保持するレンズホルダ４とを備えている。本実施形態においては、レンズ３は、凸レンズとしている。具体的には、レンズ３は、板状に形成されるベース部３１と、ベース部３１から突出する凸部３２とを備えている。なお、レンズ３は、凸レンズである、という構成だけでなく、例えば、凹レンズである、という構成でもよい。
【００２３】
レンズホルダ４は、外側に配置される外筒体４１と、外筒体４１の内側に配置される内筒体４２とを備えている。そして、外筒体４１及び内筒体４２は、熱膨張性を有しており、外筒体４１の熱膨張率は、内筒体４２の熱膨張率よりも小さい。例えば、外筒体４１は、ステンレス鋼で形成されており、内筒体４２は、アルミニウムで形成されている。
【００２４】
外筒体４１は、円筒状に形成される外筒部４１ａと、レンズ３を挟持すべく、外筒部４１ａから径方向内方に環状に突出する二つの挟持部４１ｂ，４１ｃとを備えている。そして、一対の挟持部４１ｂ，４１ｃは、内筒体４２を間に配置するように、外筒部４１ａの各端部に配置されている。
【００２５】
なお、外筒体４１は、外筒部４１ａ及び一つの挟持部４１ｂを有する本体部４１ｄと、もう一つの挟持部４１ｃを有し、本体部４１ｄに固定される固定部４１ｅとを備えている。そして、本体部４１ｄの内周部（雌ネジ部）と固定部４１ｅの外周部（雄ネジ部）とが螺合することにより、本体部４１ｄと固定部４１ｅとは、固定されている。なお、本体部４１ｄと固定部４１ｅとは、自身に設けられるネジ機構により固定される、という構成だけでなく、例えば、別部材である締結部材により固定される、という構成でもよい。
【００２６】
内筒体４２は、円筒状に形成される内筒部４２ａを備えている。また、内筒体４２は、レンズ３を挟持すべく、内筒部４２ａから径方向内方に環状に突出する挟持部４２ｂを備えている。
【００２７】
外筒部４１ａと内筒部４２ａとは、嵌まり合うようにして、互いに固定されている。具体的には、外筒部４１ａの内周部と内筒部４２ａの外周部とが密接するようにして、外筒部４１ａと内筒部４２ａとが固定されている。
【００２８】
そして、外筒体４１の各挟持部４１ｂ，４１ｃと内筒体４２の挟持部４２ｂとは、レンズ３を、各筒部４１ａ，４２ａの軸線方向（以下、単に「軸線方向」という）で挟持している。また、内筒部４２ａは、レンズ３の一部を内部（径方向の内側）に配置することにより、各レンズ３（具体的には、ベース部３１の外周部）を、各筒部４１ａ，４２ａの径方向（以下、単に「径方向」という）で支持している。
【００２９】
ここで、レンズユニット２の組み立て方法を以下に説明する。まず、内筒体４２の各端部の内部にレンズ３，３を配置させた状態で、本体部４１ｄの中に挿入する。このとき、内筒部４２ａの外周面が本体部４１ｄ（外筒部４１ａ）の内周面に案内される。
【００３０】
そして、本体部４１ｄの内周部（雌ネジ）と固定部４１ｅの外周部（雄ネジ）とを螺合させることにより、外筒体４１の各挟持部４１ｂ，４１ｃと内筒体４２の挟持部４２ｂとは、レンズ３を軸線方向で挟持する。このようにして、レンズホルダ４により、レンズ３，３を軸線方向で挟持し且つ径方向で支持したレンズユニット２が、完成する。
【００３１】
以上より、本実施形態に係るレンズユニット２によれば、複数の挟持部４１ｂ，４１ｃ，４２ｂは、互いに固定される外筒部４１ａ及び内筒部４２ａから径方向内方にそれぞれ突出し、軸線方向においてレンズ３，３を挟持する。そして、熱膨張性を有する各挟持部４１ｂ，４１ｃ，４２ｂは、レンズ３を透過する光により昇温するため、熱膨張する。これにより、複数の挟持部４１ｂ，４１ｃ，４２ｂは、昇温した際に、軸線方向においてレンズ３，３を強固に挟持できる。
【００３２】
また、内筒部４２ａは、レンズ３，３を内部に配置することにより、レンズ３，３を径方向で支持する。そして、熱膨張性を有する外筒部４１ａ及び内筒部４２ａは、レンズ３，３を透過する光により昇温するため、熱膨張する。このとき、外筒部４１ａの熱膨張率が内筒部４２ａの熱膨張率よりも小さいため、外筒部４１ａと嵌り合う内筒部４２ａが径方向外方に熱膨張することを抑制できる。これにより、内筒部４２ａは、昇温した際に、内部に配置しているレンズ３，３を径方向で確実に支持できる。
【００３３】
このように、レンズホルダ４は、レンズ３，３を、軸線方向で挟持し且つ径方向で支持し、しかも、昇温した際には、レンズ３，３を、軸線方向で強固に挟持し且つ径方向で確実に支持する。したがって、レンズホルダ４は、接着剤を使用することなく、レンズ３，３を適正な位置で保持できる。その結果、本実施形態に係るレーザ光源装置１によれば、導光体１２への入射効率が低下することを抑制できる。
【００３４】
次に、本発明に係るレンズユニットにおける第２の実施形態について、図６及び図７を参酌して説明する。なお、図６及び図７において、図１〜図５の符号と同一の符号を付した部分は、第１実施形態と同様の構成又は要素を表し、その説明は、繰り返さない。
【００３５】
図６及び図７に示すように、本実施形態に係るレンズユニット２０は、一つのレンズ３と、レンズ３を保持するレンズホルダ５とを備えている。そして、レンズホルダ５は、外側に配置される外筒体５１と、外筒体５１の内側に配置され、外筒体５１の熱膨張率よりも大きい熱膨張率を有する内筒体５２とを備えている。
【００３６】
外筒体５１は、円筒状に形成される外筒部５１ａと、レンズ３を挟持すべく、外筒部５１ａから径方向内方に突出する挟持部５１ｂとを備えている。そして、外筒体５１の挟持部５１ｂは、外筒部５１ａの一方側の端部に配置されている。
【００３７】
内筒体５２は、円筒状に形成される内筒部５２ａと、レンズ３を挟持すべく、内筒部５２ａから径方向内方に突出する挟持部５２ｂをと備えている。そして、内筒体５２の挟持部５２ｂは、内筒部５２ａの他方側の端部に配置されている。
【００３８】
外筒部５１ａと内筒部５２ａとは、嵌まり合うようにして、互いに固定されている。具体的には、外筒部５１ａの内周部（雌ネジ部）と内筒部５２ａの外周部（雄ネジ部）とが螺合することにより、外筒部５１ａと内筒部５２ａとは、固定されている。なお、外筒部５１ａと内筒部５２ａとは、自身にそれぞれ設けられるネジ機構により固定される、という構成だけでなく、例えば、別部材である締結部材により固定される、という構成でもよい。
【００３９】
外筒体５１の挟持部５１ｂと内筒体５２の挟持部５２ｂとは、レンズ３を、軸線方向で挟持している。また、内筒部５２ａは、レンズ３の一部を内部(径方向の内側)に配置することにより、レンズ３（具体的には、ベース部３１の外周部）を径方向で支持している。
【００４０】
以上より、本実施形態に係るレンズユニット２０によれば、上記第１実施形態に係るレンズユニット２と同様に、レンズホルダ５は、レンズ３を、軸線方向で挟持し且つ径方向で支持し、しかも、昇温した際には、レンズ３を、軸線方向で強固に挟持し且つ径方向で確実に支持する。したがって、レンズホルダ５は、接着剤を使用することなく、レンズ３を適正な位置で保持できる。
【００４１】
次に、本発明に係るレンズユニットにおける第３の実施形態について、図８を参酌して説明する。なお、図８において、図１〜図５の符号と同一の符号を付した部分は、第１実施形態と同様の構成又は要素を表し、その説明は、繰り返さない。
【００４２】
図８に示すように、レンズユニット２１は、三つのレンズ３，３，３０と、レンズ３，３，３０を保持するレンズホルダ６とを備えている。なお、レンズ３，３０は、三つ備えられる、という構成だけでなく、四つ以上備えられる、という構成でもよい。そして、レンズホルダ６は、外側に配置される外筒体６１と、外筒体６１の内側に配置され、外筒体６１の熱膨張率よりも大きい熱膨張率を有する二つの内筒体６２，６３とを備えている。
【００４３】
外筒体６１は、円筒状に形成される外筒部６１ａと、レンズ３を挟持すべく、外筒部６１ａから径方向内方に突出する二つの挟持部６１ｂ，６１ｃとを備えている。そして、一対の挟持部６１ｂ，６１ｃは、内筒体６２，６３を間に配置するように、外筒部６１ａの各端部に配置されている。
【００４４】
なお、外筒体６１は、外筒部６１ａ及び一つの挟持部６１ｂを有する本体部６１ｄと、もう一つの挟持部６１ｃを有し、本体部６１ｄに固定される固定部６１ｅとを備えている。そして、本体部６１ｄの内周部（雌ネジ部）と固定部６１ｅの外周部（雄ネジ部）とが螺合することにより、本体部６１ｄと固定部６１ｅとは、固定されている。なお、本体部６１ｄと固定部６１ｅとは、自身に設けられるネジ機構により固定される、という構成だけでなく、例えば、別部材である締結部材により固定される、という構成でもよい。
【００４５】
各内筒体６２，６３は、円筒状に形成される内筒部６２ａ，６３ａと、レンズ３，３０を挟持すべく、内筒部６２ａ，６３ａから径方向内方に突出する挟持部６２ｂ，６３ｂとを備えている。そして、複数の内筒体６２，６３は、外筒体６１内で軸線方向に沿って並列されている。即ち、複数の内筒部６２ａ，６３ａは、外筒部６１ａ内で軸線方向に沿って並列されている。
【００４６】
外筒部６１ａと複数の内筒部６２ａ，６３ａとは、嵌まり合うようにして、互いに固定されている。そして、外筒体６１の各挟持部６１ｂ，６１ｃと各内筒体６２，６３の挟持部６２ｂ，６３ｂとは、レンズ３を軸線方向で挟持し、隣接する内筒体６２，６３の挟持部６２ｂ，６３ｂも、レンズ３０を軸線方向で挟持している。また、内筒部６２ａは、レンズ３，３０の一部を内部（径方向の内側）に配置することにより、各レンズ３，３０（具体的には、ベース部３１の外周部）を径方向で支持している。
【００４７】
以上より、本実施形態に係るレンズユニット２１によれば、上記第１及び第２実施形態に係るレンズユニット２，２０と同様に、レンズホルダ６は、レンズ３，３０を、軸線方向で挟持し且つ径方向で支持し、しかも、昇温した際には、レンズ３，３０を、軸線方向で強固に挟持し且つ径方向で確実に支持する。したがって、レンズホルダ６は、接着剤を使用することなく、レンズ３，３０を適正な位置で保持できる。
【００４８】
なお、本発明は、上記した実施形態の構成に限定されるものではなく、また、上記した作用効果に限定されるものではない。また、本発明は、本発明の要旨を逸脱しない範囲内において種々変更を加え得ることは勿論である。例えば、上記した複数の実施形態の各構成や各方法等を任意に採用して組み合わせてもよく（１つの実施形態に係る各構成や各方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００４９】
上記実施形態に係るレンズユニット２，２０，２１においては、外筒部４１ａ，５１ａ，６１ａ及び内筒部４２ａ，５２ａ，６２ａ，６３ａは、それぞれ円筒状に形成されている、という構成である。しかしながら、本発明に係るレンズユニットは、斯かる構成に限られない。例えば、本発明に係るレンズユニットにおいては、外筒部及び内筒部は、それぞれ角筒状に形成されている、という構成でもよく、また、断面が楕円状の筒形状又は断面が多角形状の筒形状である、という構成でもよい。
【００５０】
また、上記実施形態に係るレンズユニット２，２０，２１においては、複数の挟持部４１ｂ，４１ｃ，４２ｂ，５１ｂ，５２ｂ，６１ｂ，６１ｃ，６２ｂ，６３ｂは、外筒部４１ａ，５１ａ，６１ａ及び内筒部４２ａ，５２ａ，６２ａ，６３ａからそれぞれ突出している、という構成である。しかしながら、本発明に係るレンズユニットは、斯かる構成に限られない。例えば、本発明に係るレンズユニットにおいては、複数の挟持部は、外筒部のみから突出している、という構成でもよく、また、内筒部のみから突出している、という構成でもよい。
【００５１】
また、上記実施形態に係るレンズユニット２，２０，２１においては、外筒部４１ａ，５１ａ，６１ａから突出する挟持部４１ｂ，４１ｃ，５１ｂ，６１ｂ，６１ｃは、外筒部４１ａ，５１ａ，６１ａと同じ材質で形成されている、という構成である。しかしながら、本発明に係るレンズユニットは、斯かる構成に限られない。例えば、本発明に係るレンズユニットにおいては、外筒部から突出する挟持部は、外筒部と異なる材質で形成されている、という構成でもよい。
【００５２】
また、上記実施形態に係るレンズユニット２，２０，２１においては、内筒部４２ａ，５２ａ，６２ａ，６３ａから突出する挟持部４２ｂ，５２ｂ，６２ｂ，６３ｂは、内筒部４２ａ，５２ａ，６２ａ，６３ａと同じ材質で形成されている、という構成である。しかしながら、本発明に係るレンズユニットは、斯かる構成に限られない。例えば、本発明に係るレンズユニットにおいては、内筒部から突出する挟持部は、内筒部と異なる材質で形成されている、という構成でもよい。
【符号の説明】
【００５３】
１…レーザ光源装置、２…レンズユニット、３…レンズ、４…レンズホルダ、５…レンズホルダ、６…レンズホルダ、１１…レーザ光源、１２…導光体、１３…接続体、１４…フェルール、２０…レンズユニット、２１…レンズユニット、３０…レンズ、３１…ベース部、３２…凸部、４１…外筒体、４１ａ…外筒部、４１ｂ…挟持部、４１ｃ…挟持部、４１ｄ…本体部、４１ｅ…固定部、４２…内筒体、４２ａ…内筒部、４２ｂ…挟持部、５１…外筒体、５１ａ…外筒部、５１ｂ…挟持部、５２…内筒体、５２ａ…内筒部、５２ｂ…挟持部、６１…外筒体、６１ａ…外筒部、６１ｂ…挟持部、６１ｃ…挟持部、６１ｄ…本体部、６１ｅ…固定部、６２…内筒体、６２ａ…内筒部、６２ｂ…挟持部、６３…内筒体、６３ａ…内筒部、６３ｂ…挟持部
【図１】
2015169818.tif 000003
【図２】
2015169818.tif 000004
【図３】
2015169818.tif 000005
【図４】
2015169818.tif 000006
【図５】
2015169818.tif 000007
【図６】
2015169818.tif 000008
【図７】
2015169818.tif 000009
【図８】
2015169818.tif 000010